(57)【要約】      （修正有）【課題】  ＶＣＲ又はＤＶＤレコーダの天板に回転台を回転自在に設けることにより、この回転台に載せるテレビジョンの見る角度を自由に選ぶことができ、テレビジョンを好きな方向で視聴することができる回転台付き天板を提供する。【解決手段】  ＶＣＲ又はＤＶＤレコーダの天板２のほぼ中心部分に回転台３が回転自在に設置され、回転台３はその下面３ａが略球面状に形成されており、この略球面状の下面３ａから下向きに軸部４が延設され、天板２には、回転台３の略球面状の下面３ａを上縁で受けるための凹部２ａが形成され、この凹部２ａの底面の略中心部に軸部４が挿通され、この軸部の先端には雄ねじ４ａが形成されていて、この雄ねじ４ａに凹部２ａの裏面側でナット部材５が螺合され、回転台３にテレビジョンＴを載置して回転台３の回転により、テレビジョンＴの向きを自由に変えられるように構成した。【選択図】  図１
2007066365.tif 000002
【特許請求の範囲】
【請求項１】
ＶＣＲ又はＤＶＤレコーダの天板のほぼ中心部分に回転台が回転自在に設置され、前記回転台はその下面が略球面状に形成されており、この略球面状の下面から下向きに軸部が延設され、前記天板には、前記回転台の略球面状の下面を上縁で受けるための凹部が形成され、この凹部の底面の略中心部に前記軸部が挿通され、この軸部の先端には雄ねじが形成されていて、この雄ねじに前記凹部の裏面側でナット部材が螺合され、前記回転台にテレビジョンを載置して回転台の回転により、前記テレビジョンの向きを自由に変えられるように構成したことを特徴とする回転台付き天板。
【請求項２】
ＶＣＲ又はＤＶＤレコーダの天板に回転台が回転自在に設置され、この回転台の下面の略中心部に軸部が下向きに設けられ、この軸部の先端が前記天板に挿通されており、前記回転台にテレビジョンを載置して回転台の回転により、前記テレビジョンの向きを自由に変えられるように構成したことを特徴とする回転台付き天板。
【請求項３】
前記回転台は、その下面に下向きに凸部が設けられ、前記軸部はこの凸部の下面に下向きに延設されており、前記天板には前記回転台の下側部分が入り込む凹部が形成され、この凹部の底面に前記回転台の凸部が当接され、この凹部の略中心部に前記軸部が挿通され、この軸部の先端に形成された雄ねじに前記凹部の裏面側でナット部材が螺合されている請求項２に記載の回転台付き天板。
【請求項４】
前記回転台の下面の略中心部に軸部が下向きに延設され、前記天板には前記回転台の下側部分が回転自由に入り込む凹部が形成され、この凹部の底面の略中心部に前記軸部が挿通され、この軸部の先端に形成された雄ねじに前記凹部の裏面側でナット部材が螺合されている請求項２に記載の回転台付き天板。
【請求項５】
前記回転台の裏面に複数のローラが回転自在に設置されており、これらのローラが前記天板に当接され、これらのローラが回転台の回転に伴って回転するように構成されている請求項２に記載の回転台付き天板。
【請求項６】
前記回転台の中央部に凹部が形成され、この凹部の下壁に貫通孔が形成されていて、前記天板には上端部の周囲に下側に向けて広がる係止爪部が形成された軸部材が挿通されており、前記軸部材の上部を前記回転台の凹部の下壁の貫通孔に係入することにより前記回転台と前記軸部材が一体化され、前記天板に対して前記回転台が回転自在となるように構成されている請求項２に記載の回転台付き天板。
【請求項７】
前記回転台の左右縁に外側に向けて補助腕部が延設され、この補助腕部の先端の裏面に前記天板に当接するローラが取り付けられており、前記天板の前後縁部に前記補助腕部の回転を規制する突起部が設けられている請求項２に記載の回転台付き天板。
【請求項８】
前記補助腕部は前記回転台に対して取外し可能に取り付けられている請求項７に記載の回転台付き天板。
【発明の詳細な説明】
【技術分野】
【０００１】
本発明は、ＶＣＲ又はＤＶＤレコーダの天板に回転自在な回転台を取り付けるようにした回転台付き天板に関するものである。
【背景技術】
【０００２】
第１の従来技術を図７（ａ）（ｂ）に示す。この従来のＤＶＤプレーヤー装置は、図７（ａ）（ｂ）に示すように、プレーヤー本体１０１を内部に内臓した内部筐体１０２をシールド板を兼ねた鉄板で形成し、内部筐体１０２は上面板１０３と左右側壁１０４、１０５と後壁１０６とからなって前部が開放して内部筐体１０２は前部が開放したケース体１０７で覆われ、ケース体１０７にテレビジョンの脚部を載せる凹部１０９、１１０を前後４箇所に設け内部筐体１０２の前部の両側のケース体１０７の内側に上端がケース体１０７の内側に上端がケース体１０７の上壁近傍箇所に位置して上端が塞がれた角柱形状の左右２本の補強体１１１、１１２を立設し左右の補強体１１１、１１２にケース体１０７の前部に取り付けられるフロントキャビネット１１３に係入するキャビネット係入取付片１１１ａ、１１２ａを前向きに突設しケース体１０７の後側の左右の凹部１０９、１１０の下面側に内部筐体１０２の上面板１０３と左右側壁１０４、１０５に当接して荷重を受ける下向き突出部１１４を設けている。（例えば、特許文献１参照）。
【０００３】
ところが、これにおいては、テレビジョンの脚部を載せるだけであって、テレビジョンの回転ができず、テレビジョンを見る方向が決まってしまうという問題があった。
【特許文献１】実用新案登録第３０９６２４６号公報
【発明の開示】
【発明が解決しようとする課題】
【０００４】
本発明は、上記従来の問題点に鑑みてなされたものであって、ＶＣＲ又はＤＶＤレコーダの天板に回転台を回転自在に設けることにより、この回転台に載せるテレビジョンの見る角度を自由に選ぶことができ、テレビジョンを好きな方向で視聴することができる回転台付き天板を提供することを目的としている。
【課題を解決するための手段】
【０００５】
本発明は、上記課題を解決するために提案されたものであって、請求項１に記載の発明は、ＶＣＲ又はＤＶＤレコーダの天板のほぼ中心部分に回転台が回転自在に設置され、前記回転台はその下面が略球面状に形成されており、この略球面状の下面から下向きに軸部が延設され、前記天板には、前記回転台の略球面状の下面を上縁で受けるための凹部が形成され、この凹部の底面の略中心部に前記軸部が挿通され、この軸部の先端には雄ねじが形成されていて、この雄ねじに前記凹部の裏面側でナット部材が螺合され、前記回転台にテレビジョンを載置して回転台の回転により、前記テレビジョンの向きを自由に変えられるように構成したことを特徴としている。
【０００６】
請求項２に記載の発明は、ＶＣＲ又はＤＶＤレコーダの天板に回転台が回転自在に設置され、この回転台の下面の略中心部に軸部が下向きに設けられ、この軸部の先端が前記天板に挿通されており、前記回転台にテレビジョンを載置して回転台の回転により、前記テレビジョンの向きを自由に変えられるように構成したことを特徴としている。
【０００７】
請求項３に記載の発明は、請求項２に記載の発明において、前記回転台は、その下面に下向きに凸部が設けられ、前記軸部はこの凸部の下面に下向きに延設されており、前記天板には前記回転台の下側部分が入り込む凹部が形成され、この凹部の底面に前記回転台の凸部が当接され、この凹部の略中心部に前記軸部が挿通され、この軸部の先端に形成された雄ねじに前記凹部の裏面側でナット部材が螺合されている。
【０００８】
請求項４に記載の発明は、請求項２に記載の発明において、前記回転台の下面の略中心部に軸部が下向きに延設され、前記天板には前記回転台の下側部分が回転自由に入り込む凹部が形成され、この凹部の底面の略中心部に前記軸部が挿通され、この軸部の先端に形成された雄ねじに前記凹部の裏面側でナット部材が螺合されている。
【０００９】
請求項５に記載の発明は、請求項２に記載の発明において、前記回転台の裏面に複数のローラが回転自在に設置されており、これらのローラが前記天板に当接され、これらのローラが回転台の回転に伴って回転するように構成されている。
【００１０】
請求項６に記載の発明は、請求項２に記載の発明において、前記回転台の中央部に凹部が形成され、この凹部の下壁に貫通孔が形成されていて、前記天板には上端部の周囲に下側に向けて広がる係止爪部が形成された軸部材が挿通されており、前記軸部材の上部を前記回転台の凹部の下壁の貫通孔に係入することにより前記回転台と前記軸部材が一体化され、前記天板に対して前記回転台が回転自在となるように構成されている。
【００１１】
請求項７に記載の発明は、請求項２に記載の発明において、前記回転台の左右縁に外側に向けて補助腕部が延設され、この補助腕部の先端の裏面に前記天板に当接するローラが取り付けられており、前記天板の前後縁部に前記補助腕部の回転を規制する突起部が設けられている。
【００１２】
請求項８に記載の発明は、請求項７に記載の発明において、前記補助腕部は前記回転台に対して取外し可能に取り付けられている。
【発明の効果】
【００１３】
請求項１に記載の発明によれば、ＶＣＲ又はＤＶＤレコーダの天板に回転台を回転自在に設けることにより、この回転台に載せるテレビジョンの見る角度を自由に選ぶことができ、テレビジョンを好きな方向で視聴することができる。また、回転台の下面が略球面状に形成されていることにより、この略球面状の下面が天板の凹部の上縁に当接するから、その接触部分が線状になって回転台の回転をスムーズに行うことができる。
【００１４】
請求項２に記載の発明によれば、ＶＣＲ又はＤＶＤレコーダの天板に回転台を回転自在に設けることにより、この回転台に載せるテレビジョンの見る角度を自由に選ぶことができ、テレビジョンを好きな方向で視聴することができる。
【００１５】
請求項３に記載の発明によれば、回転台の下面の下向き凸部が天板の凹部の底面に接することにより、接触面積を小さくすることができて、回転台の回転をスムーズに行うことができる。
【００１６】
請求項４に記載の発明によれば、回転台と天板の凹部と回転台の軸部とナット部材だけで回転機構を構成できるので、その構造を簡単化することができる。
【００１７】
請求項５に記載の発明によれば、回転台の裏面に設置された複数のローラが天板に当接して回転するので、回転台をスムーズに回転させることができる。
【００１８】
請求項６に記載の発明によれば、回転台の凹部の下壁の貫通孔に軸部材の係止爪部を係入して回転台と軸部材を一体化しているので、ナット部材が必要でなく、部品点数を少なくすることができて、構造を簡単化することができる。
【００１９】
請求項７に記載の発明によれば、回転台の左右縁に外側に向けて補助腕部が延設されているので、大型のテレビジョンでもこの回転台に載置して回転させることができ、この大型のテレビジョンの見る角度を自由に選択することができる。また、天板の前後縁部に突起部が設けられ、この突起部によって回転台の補助腕部の回転を規制できるので、この補助腕部が天板から外れることを防ぐことができる。
【００２０】
請求項８に記載の発明によれば、補助腕部が回転台に対して取外し可能に取り付けられているから、回転台に小型のテレビジョンを載置した際に不要な補助腕部を取り外すことができ、更に回転台をコンパクトなものにすることができる。
【発明を実施するための最良の形態】
【００２１】
以下、本発明に係る回転台付き天板の実施の形態について、図を参照しつつ説明する。
【００２２】
図１は本発明の第１実施形態の回転台付き天板を示し、（ａ）はテレビジョンを載置した状態の斜視図、（ｂ）はその要部の縦断面図である。
【００２３】
この第１実施形態の回転台付き天板は、図１（ａ）に示すように、ＶＣＲ又はＤＶＤレコーダの筐体１の天板２に平面視円形の回転台３が回転可能に取り付けられている。この回転台３にはテレビジョンＴが載置され、回転台３が回転可能になっており、テレビジョンＴを好きな方向で視聴できるようになっている。図１（ｂ）に示すように、回転台３はその下面３ａが略球面状に形成されている。この回転台３の下面３ａから下向きに軸部４が延設され、天板２にはその略中央部に、回転台３の略球面状の下面３ａを上縁で受けるための凹部２ａが形成されている。この凹部２ａの略中心部に軸部４が回転自由に挿通されており、この軸部４の先端に雄ねじ４ａが形成されていて、この雄ねじ４ａに凹部２ａの裏面側でナット部材５が螺合されている。
【００２４】
この第１実施形態によればＶＣＲ又はＤＶＤレコーダの天板２に回転台３を回転自在に設けることにより、この回転台３に載せるテレビジョンＴの見る角度を自由に選ぶことができ、テレビジョンを好きな方向で視聴することができる。また、回転台３の下面３ａが略球面状に形成されていることにより、この略球面状の下面３ａが天板２の凹部２ａの上縁に当接するから、その接触部分が線状になって回転台３の回転をスムーズに行うことができる。
【００２５】
図２は第２実施形態の回転台付き天板の要部の縦断面図である。
【００２６】
この第２実施形態の回転台付き天板は、図２に示すように、回転台３Ａの下面に下向きに凸部３ｂが設けられ、この凸部３ｂの下向きに軸部４が延設されている。この軸部４の先端に雄ねじ４ａが形成されている。天板２に回転台３Ａが入り込む凹部２ｂが形成され、この凹部２ｂの底面に回転台３Ａの凸部３ｂが当接され、この凹部２ｂの略中心部に軸部４が挿通されている。更に、軸部４の先端に形成された雄ねじ４ａに凹部２ｂの裏面側でナット部材５が螺合されている。
【００２７】
この第２実施形態によれば、回転台３Ａの下面の下向き凸部３ｂが天板２の凹部２ｂの底面に接することにより、接触面積を小さくすることができて、回転台３Ａの回転をスムーズに行うことができる。
【００２８】
図３は第３実施形態の回転台付き天板の要部の縦断面図である。
【００２９】
この第３実施形態の回転台付き天板は、図３に示すように、回転台３Ｂの下面の略中央部に軸部４が下向きに延設されている。天板２に回転台３Ｂの下側部分が回転自由に入り込む凹部２ｂが形成され、この凹部２ｂの底面の略中心部に軸部４が挿通され、この軸部４の先端に形成された雄ねじ４ａに凹部２ｂの裏面側でナット部材５が螺合されている。
【００３０】
この第３実施形態によれば、回転台３Ｂと天板２の凹部２ｂと回転台３Ｂの軸部４とナット部材５だけで回転機構を構成できるので、その構造を簡単化することができる。
【００３１】
図４は第４実施形態の回転台付き天板の平面図である。
この第４実施形態の回転台付き天板は、図４に示すように、回転台３Ｃの裏面の三方にローラ６が回転自在に設置され、これらのローラ６が天板２に当接されている。これらのローラ６が回転台３Ｃの回転に伴って回転されるように構成されている。
【００３２】
この第４実施形態によれば、回転台３Ｃの裏面に設置された複数のローラ６が天板２に当接して回転するので、回転台３Ｃをスムーズに回転させることができる。
【００３３】
図５は第５実施形態の回転台付き天板の要部を示し、（ａ）は回転台と軸部材の連結前の状態を示す縦断面図、（ｂ）は回転台と軸部材を連結した状態の縦断面図である。
【００３４】
この第５実施形態の回転台付き天板は、図５（ａ）に示すように、回転台３Ｄの中央部に凹部３ｃが形成され、この凹部３ｃの下壁に貫通孔３ｄが形成されている。天板２には上端部の周囲に下側に向けて広がる係止爪部７ａが形成された軸部材７が挿通されて下端部の鍔部７ｂが天板２の裏面に当接されている。図５（ｂ）に示すように、軸部材７の上部を回転台３Ｄの凹部３ｃの下壁の貫通孔３ｄに係入して係止爪部７ａを係止することにより、回転台３Ｄと軸部材７が一体化される。このようにすることによって、天板２に対して回転台３Ｄが回転自在に設置されることになる。
【００３５】
この第５実施形態によれば、回転台３Ｄの凹部３ｃの下壁の貫通孔３ｄに軸部材７の係止爪部７ａを係入して回転台３Ｄと軸部材７を一体化しているので、ナット部材が必要でなく、部品点数を少なくすることができて、構造を簡単化することができる。
【００３６】
図６は第６実施形態の回転台付き天板の平面図である。
【００３７】
この第６実施形態の回転台付き天板は、図６に示すように、回転台３Ｅの左右縁に外側に向けて補助腕部８が延設され、この補助腕部８の先端の裏面に天板２に当接するローラ９が取り付けられている。更に、天板２の前後縁部に補助腕部８の回転を規制する突起部１０が設けられている。
【００３８】
この第６実施形態によれば、回転台３Ｅの左右縁に外側に向けて補助腕部８が延設されているので、大型のテレビジョンでもこの回転台３Ｅに載置して回転させることができ、この大型のテレビジョンの見る角度を自由に選択することができる。また、天板２の前後縁部に突起部１０が設けられ、この突起部１０によって回転台の補助腕部８の回転を規制できるので、この補助腕部８が天板から外れることを防ぐことができる。
【００３９】
尚、補助腕部８は回転台３Ｅに対して取り外し可能に取り付けることによって、回転台３Ｅに小型のテレビジョンを載置した際に不要な補助腕部８を取り外すことができ、更に回転台３Ｅをコンパクトなものにすることができる。
【図面の簡単な説明】
【００４０】
【図１】本発明の第１実施形態の回転台付き天板を示し、（ａ）はテレビジョンを載置した状態の斜視図、（ｂ）はその要部の縦断面図である。
【図２】第２実施形態の回転台付き天板の要部の縦断面図である。
【図３】第３実施形態の回転台付き天板の要部の縦断面図である。
【図４】第４実施形態の回転台付き天板の平面図である。
【図５】第５実施形態の回転台付き天板の要部を示し、（ａ）は回転台と軸部材の連結前の状態を示す縦断面図、（ｂ）は回転台と軸部材を連結した状態の縦断面図である。
【図６】第６実施形態の回転台付き天板の平面図である。
【図７】従来のＤＶＤプレーヤー装置を示し、（ａ）はその平面図、（ｂ）はその正面図である。
【符号の説明】
【００４１】
Ｔ          テレビジョン
１          筐体
２          天板
２ａ        凹部
２ｂ        凹部
３          回転台
３Ａ        回転台
３Ｂ        回転台
３Ｃ        回転台
３Ｄ        回転台
３Ｅ        回転台
３ａ        下面
３ｂ        凸部
３ｃ        凹部
３ｄ        貫通孔
４          軸部
４ａ        雄ねじ
５          ナット部材
６          ローラ
７          軸部材
７ａ        係止爪部
７ｂ        鍔部
８          補助腕部
９          ローラ
１０        突起部
【図１】
2007066365.tif 000003
【図２】
2007066365.tif 000004
【図３】
2007066365.tif 000005
【図４】
2007066365.tif 000006
【図５】
2007066365.tif 000007
【図６】
2007066365.tif 000008
【図７】
2007066365.tif 000009